(57)【要約】【課題】コストアップや精度の低下を抑制できるレンズ鏡筒および撮像装置を提供する。【解決手段】本発明のレンズ鏡筒１００は、第１の筒１２０と、第１の筒１２０の内側に位置し、第１の筒１２０に対して回転するとともに光軸方向に移動するカム筒１５０と、カム筒１５０の内側に位置し、被写体側より前側レンズ群Ｌ３、中間レンズ群Ｌ４、後側レンズ群Ｌ５の順に配置された複数のレンズ群と、を備え、カム筒１５０が第１の筒１２０に対して回転するとともに光軸方向に移動する際に、前側レンズ群Ｌ３及び後側レンズ群Ｌ５は、カム筒１５０に形成されたカム機構により案内されて第１の筒１２０に対して光軸方向に移動し、カム筒１５０が第１の筒１２０に対して回転するとともに光軸方向に移動する際に、中間レンズ群Ｌ４は、第１の筒１２０に対して光軸方向の位置が変化しないこと、を特徴とする。【選択図】図３
2014160122.tif 000002
【特許請求の範囲】
【請求項１】
第１の筒と、
前記第１の筒の内側に位置し、前記第１の筒に対して回転するとともに光軸方向に移動するカム筒と、
前記カム筒の内側に位置し、被写体側より前側レンズ群、中間レンズ群、後側レンズ群の順に配置された複数のレンズ群と、を備え、
前記カム筒が前記第１の筒に対して回転するとともに前記光軸方向に移動する際に、前記前側レンズ群及び前記後側レンズ群は、前記カム筒に形成されたカム機構により案内されて前記第１の筒に対して前記光軸方向に移動し、
前記カム筒が前記第１の筒に対して回転するとともに前記光軸方向に移動する際に、前記中間レンズ群は、前記第１の筒に対して光軸方向の位置が変化しない
こと、を特徴とするレンズ鏡筒。
【請求項２】
請求項１に記載のレンズ鏡筒であって、
前記カム筒の前記第１の筒に対する回転及び前記光軸方向の移動を相殺するように形成された中間レンズ群カム機構を備えること、
を特徴とするレンズ鏡筒。
【請求項３】
請求項１または２に記載のレンズ鏡筒であって、
前記中間レンズ群は、前記第１の筒に対して固定されたこと、
を特徴とするレンズ鏡筒。
【請求項４】
請求項１または２に記載のレンズ鏡筒であって、
前記中間レンズ群は、前記第１の筒に形成された、光軸方向に長く伸びた長穴により前記第１の筒に対して支持されたこと、
を特徴とするレンズ鏡筒。
【請求項５】
請求項１から４のいずれか１項に記載のレンズ鏡筒であって、
前記前側レンズ群と前記移動レンズ群の一方は、光軸方向の移動によって焦点調節を行う合焦レンズ群であること、
を特徴とするレンズ鏡筒。
【請求項６】
請求項１から５のいずれか１項に記載のレンズ鏡筒であって、
前記移動レンズ群における被写体側に配置された前方側固定レンズ群と、
前記前方側固定レンズ群のさらに被写体側に配置された可動レンズ群と、
を更に備えること、を特徴とするレンズ鏡筒。
【請求項７】
請求項１から６のいずれか１項に記載のレンズ鏡筒を備える撮像装置。
【発明の詳細な説明】
【技術分野】
【０００１】
本発明は、レンズ鏡筒および撮像装置に関するものである。
【背景技術】
【０００２】
焦点距離を調節可能なレンズ鏡筒（いわゆるズームレンズ）は、複数のレンズ群を光軸方向に相対移動させて焦点距離を変化（ズーミング）させる。また、焦点調整（フォーカシング）は、たとえば、複数のレンズ群の中の合焦レンズ群を移動することにより行う。
この変倍レンズ群や合焦レンズ群（以下これらを可動レンズ群と呼ぶ）の移動の案内には、カム機構が用いられる。カム機構は、光軸回りに回転可能なカム筒に光軸に対して所望の角度で設けられたカム溝と、可動レンズの保持部材に突設して設けられたカムフォロアとを備える。そしてカムフォロアをカム溝に摺動移動可能に嵌合させ、カム筒の回転によって可動レンズ群を移動させる（特許文献１参照）。
【先行技術文献】
【特許文献】
【０００３】
【特許文献１】特開平０８−３３４６７０号公報
【発明の概要】
【発明が解決しようとする課題】
【０００４】
ところで、レンズ鏡筒における結像光学系は、ズーミング時にも移動しない固定レンズ群を備える場合もある。このため、レンズ群の配置によっては可動レンズ群の移動を案内する機構が複雑化することがある。たとえば、２つの可動レンズ群の間に挟まれて固定レンズ群が位置するような場合には、１つのカム筒によって両側の可動レンズ群の移動を案内する構成とすることは難しい。その結果、案内機構が複雑化し、コストアップや誤差の集積等による精度の低下を招くという問題がある。
【０００５】
本発明の課題は、コストアップや精度の低下を抑制できるレンズ鏡筒および撮像装置を提供することである。
【課題を解決するための手段】
【０００６】
本発明は、以下のような解決手段により前記課題を解決する。
請求項１に記載の発明は、第１の筒と、前記第１の筒の内側に位置し、前記第１の筒に対して回転するとともに光軸方向に移動するカム筒と、前記カム筒の内側に位置し、被写体側より前側レンズ群、中間レンズ群、後側レンズ群の順に配置された複数のレンズ群と、を備え、前記カム筒が前記第１の筒に対して回転するとともに前記光軸方向に移動する際に、前記前側レンズ群及び前記後側レンズ群は、前記カム筒に形成されたカム機構により案内されて前記第１の筒に対して前記光軸方向に移動し、前記カム筒が前記第１の筒に対して回転するとともに前記光軸方向に移動する際に、前記中間レンズ群は、前記第１の筒に対して光軸方向の位置が変化しないこと、を特徴とするレンズ鏡筒である。
請求項２に記載の発明は、請求項１に記載のレンズ鏡筒であって、前記カム筒の前記第１の筒に対する回転及び前記光軸方向の移動を相殺するように形成された中間レンズ群カム機構を備えること、を特徴とするレンズ鏡筒である。
請求項３に記載の発明は、請求項１または２に記載のレンズ鏡筒であって、前記中間レンズ群は、前記第１の筒に対して固定されたこと、を特徴とするレンズ鏡筒である。
請求項４に記載の発明は、請求項１または２に記載のレンズ鏡筒であって、前記中間レンズ群は、前記第１の筒に形成された、光軸方向に長く伸びた長穴により前記第１の筒に対して支持されたこと、を特徴とするレンズ鏡筒である。
請求項５に記載の発明は、請求項１から４のいずれか１項に記載のレンズ鏡筒であって、前記前側レンズ群と前記移動レンズ群の一方は、光軸方向の移動によって焦点調節を行う合焦レンズ群であること、を特徴とするレンズ鏡筒である。
請求項６に記載の発明は、請求項１から５のいずれか１項に記載のレンズ鏡筒であって、前記移動レンズ群における被写体側に配置された前方側固定レンズ群と、前記前方側固定レンズ群のさらに被写体側に配置された可動レンズ群と、を更に備えること、を特徴とするレンズ鏡筒である。
請求項７に記載の発明は、請求項１から６のいずれか１項に記載のレンズ鏡筒を備える撮像装置である。
【発明の効果】
【０００７】
本発明によれば、コストアップや精度の低下を抑制できるレンズ鏡筒および撮像装置を提供できる。
【図面の簡単な説明】
【０００８】
【図１】本発明の一実施形態であるレンズ鏡筒をカメラ本体に装着して構成されたカメラの概念図である。
【図２】レンズ鏡筒の断面図である。
【図３】図２の要部拡大図である。
【図４】カム筒，固定筒およびズーム連動環の分解斜視図である。
【図５】図３と対応する比較例を示す図である。
【発明を実施するための形態】
【０００９】
以下、図面等を参照して、本発明の一実施形態について説明する。
図１は、本発明の一実施形態であるレンズ鏡筒１００をカメラ本体１０に装着して構成されたカメラ１の概念図である。
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側とも呼称する。さらに、光軸ＯＡ（すなわちＺ軸）と平行な方向の移動を「直進」、光軸ＯＡを中心とする回動を「回転」と呼称する。
【００１０】
カメラ１は、カメラ本体１０と、レンズ鏡筒１００と、によって構成されている。レンズ鏡筒１００は、その基端部に備えるレンズマウントＬＭが、カメラ本体１０のボディマウントＢＭと係合することで、カメラ本体１０に着脱可能に装着されている。
カメラ本体１０は、光像を電気信号に変換する撮像素子１１を備え、この撮像素子１１による撮像データを画像処理して図示しない記録部に記録するいわゆるデジタル一眼レフカメラである。なお、本発明はデジタル一眼レフカメラに限定されるものではない。
【００１１】
つぎに、前述した図１に加えて図２〜図４を参照して、レンズ鏡筒１００について詳細に説明する。
図２は、レンズ鏡筒１００の断面図であって、光軸ＯＡを挟んで上側が広角端，下側が望遠端を示している。図３は、図２における要部拡大図である。図４は、カム筒，固定筒およびズーム連動環の分解斜視図である。図５は、図３と対応する比較例を示す図である。なお、図２および図４は、周方向に配置された構成要素を重ねて示してある。
【００１２】
レンズ鏡筒１００は、５群のレンズ群（第１レンズ群Ｌ１，第２レンズ群Ｌ２，第３レンズ群Ｌ３，第４レンズ群Ｌ４，第５レンズ群Ｌ５）を備え、焦点距離を変更可能ないわゆるズームレンズである。
第１レンズ群Ｌ１，第３レンズ群Ｌ３および第５レンズ群Ｌ５は、焦点距離を変化させる変倍レンズ群であって、後述するズーム操作環１１１の回転によって光軸ＯＡ方向（Ｚ方向）に各々所定量直進移動する。
【００１３】
また、第３レンズ群Ｌ３は、合焦距離（ピント位置）を変化させる合焦レンズ群であって、後述するフォーカス環１１２の回転によって光軸ＯＡ方向に直進移動する。
第２レンズ群Ｌ２および第４レンズ群Ｌ４は、変倍時および合焦時の何れにおいても移動しない固定レンズ群である。
【００１４】
レンズ鏡筒１００は、外観筒１１０の内部に、基端側から順に内固定筒１２０と外固定筒１３０とが固定されている。
外観筒１１０の外周には、ズーム操作環１１１と、フォーカス環１１２とが、それぞれ回転可能に設けられている。
【００１５】
ズーム操作環１１１は、連動ピン１１３を介して後述する外カム筒１９０と連繋すると共に、連動ピン１１３およびズーム連動環１４０を介して後述する内カム筒１５０と連繋しており、その回転によって外カム筒１９０および内カム筒１５０を回転可能となっている。詳しくは後述するが、外カム筒１９０は第１レンズ群Ｌ１の移動を案内し、内カム筒１５０は第３レンズ群Ｌ３および第５レンズ群Ｌ５の移動を案内する。
【００１６】
フォーカス環１１２は、合焦駆動モータ１１４を介してフォーカス連動環１１５と連繋しており、その回転によってフォーカス連動環１１５を回転可能となっている。
フォーカス連動環１１５には、連動キー１１６がその背面側の端部で固定されている。
【００１７】
連動キー１１６は、所定幅で後述する内カム筒１５０の内周に沿って前面側に延設されている。連動キー１１６は、光軸ＯＡと平行な案内スリットを備えており、その案内スリットには後述する第３レンズ枠１６０（第３レンズ群Ｌ３）のカムピン１６１が摺動移動可能に嵌合している。
これにより、フォーカス環１１２が回転されると、フォーカス連動環１１５を介して連動キー１１６が光軸ＯＡ回りに回転し、第３レンズ枠１６０のカムピン１６１を回転するようになっている。
【００１８】
内固定筒１２０は、図４に示すように、内カム筒１５０を駆動するカム筒カム溝１２１と、第４レンズ群の位置を規定する固定孔１２２と、第５レンズ群の移動を案内する光軸ＯＡと平行な第５直進溝１２３と、を備えている。
内固定筒１２０の前面側外周には、ズーム連動環１４０が回転可能且つ光軸ＯＡ方向には移動不能に嵌合配置されている。
【００１９】
ズーム連動環１４０は、連動ピン１１３を介してズーム操作環１１１と連繋しており、ズーム操作環１１１の回転によって回転駆動される。
ズーム連動環１４０は、図４に示すように、背面側への突出部位にカム筒ガイド溝１４１を備えている。カム筒ガイド溝１４１は、光軸ＯＡと略平行に形成されており、図３に示すように、後述する内カム筒１５０のカムフォロアピン１５４が摺動移動可能に嵌合している。
これにより、ズーム連動環１４０は、ズーム操作環１１１の回転によって、カムフォロアピン１５４を介してカム筒１５０を回転させると共にその移動を案内する。
【００２０】
内固定筒１２０の内周側には、内カム筒１５０が摺動回転可能且つ光軸ＯＡ方向に移動可能に設けられている。
内カム筒１５０は、図４に示すように、第３レンズ群Ｌ３の移動を案内する第３カム溝１５１と、第４レンズ群Ｌ４の移動を案内する第４カム溝１５２と、第５レンズ群Ｌ５の移動を案内する第５カム溝１５３と、を備えている。
また、内カム筒１５０は、外周にカムフォロアピン１５４（図３に示す。図４には示さず）が突設されている。カムフォロアピン１５４は、内固定筒１２０におけるカム筒カム溝１２１に摺動移動可能に嵌合して外周側に貫通し、その外周側への突出部がズーム連動環１４０におけるカム筒ガイド溝１４１に摺動移動可能に嵌合している。
【００２１】
カムフォロアピン１５４は、ズーム操作環１１１の回転に伴うズーム連動環１４０の回転に伴って回転され、内固定筒１２０におけるカム筒カム溝１２１の変位に応じてカム筒ガイド溝１４１に沿って移動される。
これにより、内カム筒１５０は、ズーム操作環１１１の回転によって、回転しつつ光軸ＯＡ方向に所定距離移動（直進移動）する。内カム筒１５０は、図２に示すように、広角端では背面側端部に位置し、ここから焦点距離が長くなるにつれて前面側に移動して、望遠端では前面側端部に位置するように設定されている。
【００２２】
図３に示すように、内カム筒１５０の内部には、第３レンズ群Ｌ３，第４レンズ群Ｌ４および第５レンズ群Ｌ５が収容されている。
第３レンズ群Ｌ３は、第３レンズ枠１６０に保持されている。第３レンズ枠１６０は、内カム筒１５０の内周に摺動移動可能に嵌合しており、外周には第３カムピン１６１が突設されている。第３カムピン１６１は、連動キー１１６の案内スリットに摺動移動可能に嵌合して外周側に突出し、その先端が内カム筒１５０の第３カム溝１５１に摺動移動可能に嵌合している。
【００２３】
これにより、第３レンズ群Ｌ３は、ズーム操作環１１１の回転によって内カム筒１５０が回転しつつ直進移動すると、内カム筒１５０の直進移動量と内カム筒１５０の回転による第３カム溝１５１の変位量とを合算した量、連動キー１１６の案内スリットに沿って（光軸ＯＡ方向に）移動する。
【００２４】
また、第３レンズ群Ｌ３は、フォーカス環１１２の回転による連動キー１１６の回転によって第３カムピン１６１が回転され、内カム筒１５０における第３カム溝１５１の変位に応じて連動キー１１６の案内スリットに沿って（光軸ＯＡ方向に）移動する。
つまり、第３レンズ群Ｌ３は、ズーム操作環１１１の回転によって変倍移動すると共に、フォーカス環１１２の回転によって合焦移動するようになっているものである。
【００２５】
ここで、前述したように、内カム筒１５０はズーム操作環１１１の回転（変倍操作）によって回転しつつ直進移動する。このため、連動キー１１６による第３カムピン１６１の案内角度範囲と対応する、内カム筒１５０における第３カム溝１５１の領域が、焦点距離によって異なることとなる。
【００２６】
これは、無限遠距離から最近接距離まで合焦させるために必要な第３レンズ群Ｌ３の移動量が焦点距離によって異なるため、第３カムピン１６１と対応する第３カム溝１５１における領域を変化させ、焦点距離にかかわらずフォーカス環１１２の一定角度範囲の回転で無限遠距離から最近接距離までの合焦を可能とするためである。
【００２７】
つまり、第３カム溝１５１は、第３カムピン１６１の位置（すなわち焦点距離）に応じて、フォーカス環１１２の一定角度範囲の回転で第３レンズ群Ｌ３を無限遠距離から最近接距離までの合焦を可能とする範囲に移動し得る形状に形成されているものである。
【００２８】
第４レンズ群Ｌ４は、第４レンズ枠１７０に保持されている。第４レンズ枠１７０は、内カム筒１５０の内周に摺動移動可能に嵌合しており、外周には第４カムピン１７１が突設されている。第４カムピン１７１は、内カム筒１５０の第４カム溝１５２に摺動移動可能に嵌合して外周側に突出し、先端が内固定筒１２０の固定孔１２２に嵌合している。
【００２９】
ここで、内カム筒１５０の第４カム溝１５２と、内固定筒１２０のカム筒カム溝１２２とは、光軸ＯＡ方向に対して同じ傾きを有する領域を備えており、カム筒カム溝１２２内のカムフォロアピン１５４が位置する箇所と、第４カム溝１５２内の第４カムピン１７１が位置する箇所とは、光軸ＯＡ方向に対して互いに同じ傾きを有するように構成されている。すなわち、内カム筒１５０における第４カム溝１５２は、ズーム操作環１１１の操作に伴う内カム筒１５０の回転による直進移動を相殺するように第４カムピン１７１を移動操作する形状に形成されている。
【００３０】
つまり、第４カム溝１５２は、第４レンズ枠１７０における第４カムピン１７１（先端が内固定筒１２０の固定孔１２２に嵌合している）を、内カム筒１５０が回転および直進移動しても、内固定筒１２０に対して移動しないように相対的に移動する形状となっている。
【００３１】
これにより、ズーム操作環１１１の案内によって内カム筒１５０が回転すると、内カム筒１５０は内固定筒１２０におけるカム筒カム溝１２１の変位に応じて直進移動するが、内カム筒１５０の第４カム溝１５２が第４カムピン１７１を内固定筒１２０に対する位置が変化しないように当該内カム筒１５０に対して相対移動する。
その結果、第４レンズ枠１７０（第４レンズ群Ｌ４）の位置は、ズーム操作環１１１の案内にかかわらず内固定筒１２０に対して一定に維持（すなわち固定）される。
【００３２】
第４カムピン１７１の先端が嵌合する内固定筒１２０における固定孔１２２は、光軸ＯＡ方向における移動を全く許容しない丸穴で形成して良い。
この場合、第４レンズ枠１７０（第４レンズ群Ｌ４）の位置は、内固定筒１２０に対して絶対的に固定され、第４カム溝１５２による移動に優先する。
また、固定孔１２２を、第４カムピン１７１の光軸ＯＡ方向における移動を僅かに許容するように、光軸ＯＡ方向に長い長穴状に形成し、第４カム溝１５１が第４レンズ枠１７０（第４レンズ群Ｌ４）の位置決めを固定孔１２２に優先して行う構成としても良い。
固定穴２２が、丸穴の場合、第４カムピン１７１とともに移動する第４レンズ群Ｌ４は、内固定筒１２０に完全に固定される。
固定穴２２が、長穴の場合、第４カムピン１７１とともに移動する第４レンズ群Ｌ４は、内固定筒１２０に固定されるのは変わらないが、内カム筒１５０の第４カム溝１５２により強く拘束される。
固定穴２２の丸穴か長穴かは、第４レンズ群Ｌ４の内固定筒１２０に対する固定か、第４レンズ群Ｌ４と第３レンズ群Ｌ３及び第５レンズ群Ｌ５との位置関係か、のどちらを優先するかによって選択される。
第４レンズ群Ｌ４の内固定筒１２０に対する固定が優先の場合固定穴２２は丸穴で、第４レンズ群Ｌ４と第３レンズ群Ｌ３及び第５レンズ群Ｌ５との位置関係を優先する場合、固定穴２２として長穴が選択される。
【００３３】
第５レンズ群Ｌ５は、第５レンズ枠１８０に保持されている。第５レンズ枠１８０は、内カム筒１５０の内周に摺動移動可能に嵌合しており、外周には第５カムピン１８１が突設されている。
第５カムピン１８１は、内カム筒１５０の第５カム溝１５３に摺動移動可能に嵌合して外周側に突出し、その先端が内固定筒１２０に形成された第５直進溝１２３に摺動移動可能に嵌合している。
【００３４】
これにより、第５レンズ群Ｌ５は、ズーム操作環１１１の回転によって内カム筒１５０が回転しつつ直進移動すると、内カム筒１５０の直進移動量と内カム筒１５０の回転による第５カム溝１５３の変位量とを合算した量、内固定筒１２０の第５直進溝１２３に沿って（光軸ＯＡ方向に）移動する。
【００３５】
外固定筒１３０は、外周面に第１レンズ群Ｌ１の移動を案内する第１直進溝を備え、内周側にレンズ群Ｌ２を支持している。
外固定筒１３０の外周側には、第１カム溝１９１を備える外カム筒１９０が相対回転可能且つ光軸ＯＡ方向には相対移動不能に設けられている。
外カム筒１９０の外周側には、レンズ群Ｌ１を保持する移動枠２００が光軸ＯＡ方向に移動可能に設けられている。
【００３６】
移動枠２００は、外カム筒１９０の外周と外観筒１１０の内周との間に位置し、先端にレンズ群Ｌ１を保持している。移動枠２００の基端側（背面側）の内周には、カムフォロアピン２０１が突設されている。カムフォロアピン２０１は、外カム筒１９０の第１カム溝１９１を摺動移動可能に貫通し、先端が外固定筒１３０の第１直進溝に摺動移動可能に嵌合している。
【００３７】
これにより、ズーム操作環１１１の案内によって外カム筒１９０が回転すると、第１カム溝１９１が移動枠２００のカムフォロアピン２０１を案内し、移動枠２００は第１カム溝１９１の変位に応じて、外固定筒１３０の第１直進溝に沿って光軸ＯＡ方向に移動するようになっている。
【００３８】
上記のように構成されたレンズ鏡筒１００は、使用者によるズーム操作環１１１の回転によって、外カム筒１９０が回転して第１レンズ群Ｌ１が光軸ＯＡ方向に所定量移動すると共に、内カム筒１５０が回転しつつ直進して第３レンズ群Ｌ３および第５レンズ群Ｌ５が光軸ＯＡ方向に各々所定量移動し、
図２の上側に示す広角端と下側に示す望遠端の間で焦点距離が連続的に変化する。また、フォーカス環１１２の回転によって、連動キー１１６が回転してレンズ群Ｌ３が光軸ＯＡ方向に所定量移動し、合焦距離（ピント位置）が変化する。
【００３９】
ここで、前述したように、固定レンズ群である第４レンズ群Ｌ４は、変倍時において回転しつつ直進移動する内カム筒１５０の内部に設けられているが、内カム筒１５０における第４カム溝１５２によって内固定筒１２０に対する位置が変化しないように相対的に移動される。このため、第４レンズ群Ｌ４は、変倍操作によっても光軸ＯＡ方向に移動せず、所定位置に固定される。
【００４０】
上記のような構成により、固定レンズ群である第４レンズ群Ｌ４と、それを挟んで前後に位置する移動する第３レンズ群Ｌ３および第５レンズ群Ｌ５とを、１つの内カム筒１５０の内部に収容することが可能となっている。これにより、構成の簡略化によるコスト低減が可能となると共に、第３レンズ群Ｌ３および第５レンズ群Ｌ５の移動量を大きくできる。
【００４１】
すなわち、本願構成を適用しない場合における、図３と対応する比較例を図５に示す。図５に示す比較例は、第３レンズ群Ｌ３を駆動する第３カム筒５３と、第５レンズ群Ｌ５を駆動する第５カム筒５５とを独立して備え、ズーム連動環５１は両者を覆うよう背面側に長く形成されている。
【００４２】
第３カム筒５３および第５カム筒５５は、それぞれ植設されたカムピン（第３カム筒ピン５３１，第５カム筒ピン５５１）がズーム連動環５１のカム溝に嵌合し、このズーム連動環５２によって回転駆動される。なお、図５中、図３と共通するその他の構成要素には、図３と同符号を付してある。
【００４３】
図５に示す比較例のように、第３レンズ群Ｌ３と第５レンズ群Ｌ５とを、それぞれ第３カム筒５３と第５カム筒５５によって個別に独立して駆動するように構成すると、構造が複雑化してコストアップを招来し、第３カム筒５３および第５カム筒５５の前後長を大きく採ることが難しくなるために第３レンズ群Ｌ３と第５レンズ群Ｌ５の移動量が制限される。
【００４４】
また、第５カム筒５５を駆動するためにズーム連動環５１が背面側に延び、これによって電気部品等の配置スペースが限定される。図３に示す本願構成では、ズーム連動環１４０と、その背面側に位置するフォーカス連動環１１５との間にスペースが形成され、ここに電気部品２１０等を配置することができる。
【００４５】
さらに、図５の比較例構成では、第３レンズ群Ｌ３，第４レンズ群Ｌ４および第５レンズ群Ｌ５が、それぞれ別の部材に保持されるため、相互の位置を高い精度として組み合わせることは難しい。これに対して本願構成では、第３レンズ群Ｌ３，第４レンズ群Ｌ４および第５レンズ群Ｌ５は、１つの内固定筒１２０に保持されるため、相互の位置を高い精度に設定することができる。
【００４６】
以上、本実施形態によると、以下の効果を有する。
（１）本実施形態によれば、変倍時において回転しつつ直進移動する内カム筒１５０の内部に配置された固定レンズ群である第４レンズ群Ｌ４は、内カム筒１５０における第４カム溝１５２によって、内カム筒１５０に対する位置が変化しないように相対的に移動される。
これにより、固定レンズ群である第４レンズ群Ｌ４と、それを挟んで前後に位置する移動する第３レンズ群Ｌ３および第５レンズ群Ｌ５とを、１つの内カム筒１５０の内部に収容することが可能となり、構成の簡略化によるコスト低減が可能となると共に、第３レンズ群Ｌ３および第５レンズ群Ｌ５の移動量を大きく採ることができ光学設計の自由度が増大する。
【００４７】
（２）固定レンズ群である第４レンズ群Ｌ４と、それを挟んで前後に位置する移動する第３レンズ群Ｌ３および第５レンズ群Ｌ５とを、１つの内カム筒１５０の内部に収容することによる構成の簡略化によってスペース効率が向上し、小型軽量化が可能と共に電気部品等の配置スペースの確保が容易となる。
【００４８】
（３）第３レンズ群Ｌ３，第４レンズ群Ｌ４および第５レンズ群Ｌ５を１つの内固定筒１２０に保持することができ、相互の位置を高い精度に設定することが可能となる。
【００４９】
（変形形態）
以上、説明した実施形態に限定されることなく、以下に示すような種々の変形や変更が可能であり、それらも本発明の範囲内である。
本実施形態は、本発明を、固定レンズ群である第４レンズ群Ｌ４と、それを挟んで前後に位置する移動する第３レンズ群Ｌ３および第５レンズ群Ｌ５とを、１つの内カム筒１５０の内部に収容した構成に適用した例である。しかし、固定レンズ群と可動レンズ群の配置および数は、本構成に限定されるものではなく、適宜変更可能なものである。
【００５０】
なお、実施形態及び変形形態は、適宜組み合わせて用いることもできるが、詳細な説明は省略する。また、本発明は以上説明した実施形態によって限定されることはない。
【符号の説明】
【００５１】
１：カメラ、１０：カメラ本体、１００：レンズ鏡筒、１２０：内固定筒、１５０：内カム筒、１５１：第３カム溝、１５２：第４カム溝、１５３：第５カム溝、Ｌ１：第１レンズ群、Ｌ２：第２レンズ群、Ｌ３：第３レンズ群、Ｌ４：第４レンズ群、Ｌ５：第５レンズ群
【図１】
2014160122.tif 000003
【図２】
2014160122.tif 000004
【図３】
2014160122.tif 000005
【図４】
2014160122.tif 000006
【図５】
2014160122.tif 000007